(57)【要約】【課題】  動画撮影でＲＡＷデータを保存する場合に、動画像の再生を迅速に行なうことのできる手段を提供する。【解決手段】  撮像装置は、撮像部と、モード切替部と、制御部とを備える。撮像部は、被写体を撮像して時間軸方向に連続する複数の画像を取得する。モード切替部は、画像のＲＡＷデータを記録する第１モードと、ＲＡＷデータに少なくとも階調変換処理を施したデジタル現像画像を記録する第２モードとを切り替える。制御部は、第１モードのときに、ＲＡＷデータとともに、デジタル現像画像による動画像ファイルを記憶媒体に記録する。【選択図】  図１
2010021710.tif 000002
【特許請求の範囲】
【請求項１】
被写体を撮像して時間軸方向に連続する複数の画像を取得する撮像部と、
前記画像のＲＡＷデータを記録する第１モードと、前記ＲＡＷデータに少なくとも階調変換処理を施したデジタル現像画像を記録する第２モードとを切り替えるモード切替部と、
前記第１モードのときに、前記ＲＡＷデータとともに、前記デジタル現像画像による動画像ファイルを記憶媒体に記録する制御部と、
を備えることを特徴とする撮像装置。
【請求項２】
請求項１に記載の撮像装置において、
各々の前記画像に対して時間軸方向に異なる少なくとも１以上の被加算画像を加算して合成画像を生成する画像処理部をさらに備え、
前記制御部は、前記第１モードのときに、前記合成画像を生成するときの被加算画像の加算比率を示す付帯情報を前記ＲＡＷデータに対応付けするとともに、時間軸方向に連続した複数の前記合成画像による前記動画像ファイルを前記記憶媒体に記録することを特徴とする撮像装置。
【請求項３】
請求項１に記載の撮像装置の第１モードで生成されたＲＡＷデータおよび動画像ファイルを読み込むデータ読込部と、
前記ＲＡＷデータに対して、階調変換処理およびレタッチ処理を施して補正画像を生成するデジタル現像処理部と、
前記補正画像に対して時間軸方向に異なる少なくとも１以上の被加算画像を加算して合成画像を生成するとともに、前記補正画像に基づく前記合成画像を用いて補正動画像ファイルを生成する画像処理部と、
前記補正動画像ファイルが生成されたときに、又は前記補正動画像ファイルが前記記憶媒体へ記録される前に、前記撮像装置で生成された動画像ファイルを削除する制御部と、
を備えることを特徴とする画像処理装置。
【請求項４】
被写体を撮像して得られた時間軸方向に連続する複数の静止画像を読み込むデータ読込部と、
前記静止画像に対して時間軸方向に異なる少なくとも１以上の被加算画像を加算して合成画像を生成する画像処理部と、
前記合成画像を生成するときの前記被加算画像の加算比率を複数の前記静止画像に対応付けて記録した第１画像ファイルと、前記合成画像による動画像を記録した第２画像ファイルとを生成する制御部と、
前記第１画像ファイルおよび前記第２画像ファイルを記憶媒体に記録する記録部と、を備え、
前記制御部は、前記記憶媒体の残容量が閾値未満となるときに、前記第２画像ファイルの記録を停止するとともに、前記第１画像ファイルのデータを前記第２画像ファイルのデータに優先して保存することを特徴とする画像処理装置。
【請求項５】
被写体を撮像して得られた時間軸方向に連続する複数の静止画像を読み込むデータ読込部と、
前記静止画像に対して時間軸方向に異なる少なくとも１以上の被加算画像を加算して合成画像を生成する画像処理部と、
複数の前記静止画像に前記合成画像を生成するときの前記被加算画像の加算比率を対応付けて記録した第１画像ファイルと、前記合成画像による動画像を記録した第２画像ファイルとを生成する制御部と、
前記第１画像ファイルおよび前記第２画像ファイルを記憶媒体に記録する記録部と、を備え、
前記制御部は、前記記憶媒体に複数の前記第１画像ファイルが存在し、かつ前記記憶媒体の残容量が閾値未満となるときに、前記記憶媒体に記憶されている前記第２画像ファイルを優先順位の低い順に削除するとともに、前記第１画像ファイルのデータを保存することを特徴とする画像処理装置。
【請求項６】
請求項３から請求項５のいずれか１項に記載の画像処理装置の処理をコンピュータに実行させるためのプログラム。
【請求項７】
被写体を撮像して動画像のデータを生成するとともに、前記動画像の撮影中に撮像指示に応じて静止画像のデータを生成する撮像部と、
前記静止画像の撮影モードの設定が、ブラケット撮影モード、バルブ撮影モード、パノラマ撮影モードのいずれかであるときには、前記動画像の撮影を禁止する制御部と、
を備えることを特徴とする撮像装置。
【請求項８】
被写体を撮像して動画像のデータおよび静止画像のデータの少なくとも一方を生成する撮像部と、
前記静止画像の撮影モードの設定がセルフタイマ撮影であるときには、セルフタイマで前記静止画像が撮影されるまでの期間に動画像のデータを生成する制御部と、
を備えることを特徴とする撮像装置。
【発明の詳細な説明】
【技術分野】
【０００１】
本発明は、動画像および静止画像を取得する撮像装置とその周辺技術に関する。
【背景技術】
【０００２】
従来から、動画撮影および静止画撮影の機能を有する撮像装置が知られている。例えば、特許文献１には、動画撮影中に静止画撮影を行う撮像装置の一例が開示されている。
【特許文献１】特開２００１−１１１９３４号公報
【発明の開示】
【発明が解決しようとする課題】
【０００３】
ところで、撮像装置での動画撮影でＲＡＷデータを保存する場合には、動画像の再生が迅速に行えるようにすることが好ましい。
【０００４】
また、時間軸方向に連続した静止画を加算して像流れのある合成画像を生成し、この合成画像による動画像と静止画像とを記録するときには、記憶媒体の残容量を考慮してデータの記録方法を変更することが好ましい。
【０００５】
さらに、動画撮影および静止画撮影の機能を有する撮像装置では、静止画像の撮影モードによっては動画像の撮影を禁止することが好ましい場合がある。その一方で、静止画像の撮影モードによっては動画像の撮影を行う方が好ましい場合もある。
【０００６】
本発明は、上記従来技術のいずれかの課題を解決するものである。本発明の一の目的は、動画撮影でＲＡＷデータを保存する場合に、動画像の再生を迅速に行なうことのできる手段を提供することにある。
【０００７】
また、本発明の他の目的は、合成画像による動画像と静止画像とを記録するときに、記憶媒体の残容量を考慮してデータの記録を行う手段を提供することにある。
【０００８】
さらに、本発明の他の目的は、静止画撮影のモードに応じて動画撮影を適切に制御する手段を提供することにある。
【課題を解決するための手段】
【０００９】
第１の形態に係る撮像装置は、撮像部と、モード切替部と、制御部とを備える。撮像部は、被写体を撮像して時間軸方向に連続する複数の画像を取得する。モード切替部は、画像のＲＡＷデータを記録する第１モードと、ＲＡＷデータに少なくとも階調変換処理を施したデジタル現像画像を記録する第２モードとを切り替える。制御部は、第１モードのときに、ＲＡＷデータとともに、デジタル現像画像による動画像ファイルを記憶媒体に記録する。
【００１０】
上記の第１の形態では、各々の画像に対して時間軸方向に異なる少なくとも１以上の被加算画像を加算して合成画像を生成する画像処理部を撮像装置がさらに備えてもよい。そして、制御部は、第１モードのときに、合成画像を生成するときの被加算画像の加算比率を示す付帯情報をＲＡＷデータに対応付けするとともに、時間軸方向に連続した複数の合成画像による動画像ファイルを記憶媒体に記録してもよい。
【００１１】
第２の形態に係る画像処理装置は、データ読込部と、デジタル現像処理部と、画像処理部と、制御部とを備える。データ読込部は、上記の第１の形態の第１モードで生成されたＲＡＷデータおよび動画像ファイルを読み込む。デジタル現像処理部は、ＲＡＷデータに対して、階調変換処理およびレタッチ処理を施して補正画像を生成する。画像処理部は、補正画像に対して時間軸方向に異なる少なくとも１以上の被加算画像を加算して合成画像を生成するとともに、補正画像に基づく合成画像を用いて補正動画像ファイルを生成する。制御部は、補正動画像ファイルが生成されたときに、又は補正動画像ファイルが記憶媒体へ記録される前に、撮像装置で生成された動画像ファイルを削除する。
【００１２】
第３の形態に係る画像処理装置は、データ読込部と、画像処理部と、制御部と、記録部とを備える。データ読込部は、被写体を撮像して得られた時間軸方向に連続する複数の静止画像を読み込む。画像処理部は、静止画像に対して時間軸方向に異なる少なくとも１以上の被加算画像を加算して合成画像を生成する。制御部は、合成画像を生成するときの被加算画像の加算比率を複数の静止画像に対応付けて記録した第１画像ファイルと、合成画像による動画像を記録した第２画像ファイルとを生成する。記録部は、第１画像ファイルおよび第２画像ファイルを記憶媒体に記録する。そして、制御部は、記憶媒体の残容量が閾値未満となるときに、第２画像ファイルの記録を停止するとともに、第１画像ファイルのデータを第２画像ファイルのデータに優先して保存する。
【００１３】
第４の形態に係る画像処理装置は、データ読込部と、画像処理部と、制御部と、記録部とを備える。データ読込部は、被写体を撮像して得られた時間軸方向に連続する複数の静止画像を読み込む。画像処理部は、静止画像に対して時間軸方向に異なる少なくとも１以上の被加算画像を加算して合成画像を生成する。制御部は、複数の静止画像に合成画像を生成するときの被加算画像の加算比率を対応付けて記録した第１画像ファイルと、合成画像による動画像を記録した第２画像ファイルとを生成する。記録部は、第１画像ファイルおよび第２画像ファイルを記憶媒体に記録する。そして、制御部は、記憶媒体に複数の第１画像ファイルが存在し、かつ記憶媒体の残容量が閾値未満となるときに、記憶媒体に記憶されている第２画像ファイルを優先順位の低い順に削除するとともに、第１画像ファイルのデータを保存する。
【００１４】
第５の形態に係る撮像装置は、撮像部と、制御部とを備える。撮像部は、被写体を撮像して動画像のデータを生成するとともに、動画像の撮影中に撮像指示に応じて静止画像のデータを生成可能である。制御部は、静止画像の撮影モードが、ブラケット撮影モード、バルブ撮影モード、パノラマ撮影モードのいずれかであるときには、動画像の撮影を禁止する。
【００１５】
第６の形態に係る撮像装置は、撮像部と、制御部とを備える。撮像部は、被写体を撮像して動画像のデータまたは静止画像のデータを生成する。制御部は、静止画像の撮影モードがセルフタイマ撮影であるときには、セルフタイマで静止画像が撮影されるまでの期間に動画像のデータを生成する。
【００１６】
なお、上記の第２から第４の形態の画像処理装置の動作を画像処理方法として表現したものや、上記の画像処理方法をコンピュータに実行させるためのプログラムも、本発明の具体的態様として有効である。
【発明の効果】
【００１７】
本発明の一の形態では、ＲＡＷデータを記録するときにデジタル現像画像の動画像ファイルも同時に記録し、動画像ファイルの再生によって動画像を迅速に鑑賞することができる。
【００１８】
本発明の他の形態では、記憶媒体の残容量に応じて静止画像の記録を優先して、適切な画像の記録を可能とする。
【００１９】
本発明の他の形態では、静止画像の撮影モードに応じて動画撮影のモードを制御することで、ユーザーの意図に沿った撮像装置での画像の記録が可能となる。
【発明を実施するための最良の形態】
【００２０】
＜第１実施形態の説明＞
（電子カメラの構成の説明）
図１は、第１実施形態の電子カメラの構成を示すブロック図である。電子カメラは、撮像光学系１１と、レンズ駆動部１２と、撮像素子１３と、撮像素子駆動回路１４と、信号処理回路１５と、データ処理回路１６と、第１メモリ１７と、表示制御回路１８およびモニタ１９と、圧縮／伸長回路２０と、記録Ｉ／Ｆ（インターフェース）２１と、通信Ｉ／Ｆ（インターフェース）２２と、操作部材２３と、レリーズ釦２４と、第２メモリ２６と、制御回路２７およびバス２８とを有している。
【００２１】
ここで、データ処理回路１６、第１メモリ１７、圧縮／伸長回路２０、第２メモリ２６および制御回路２７はそれぞれバス２８を介して相互に接続されている。また、レンズ駆動部１２、撮像素子駆動回路１４、信号処理回路１５、表示制御回路１８、記録Ｉ／Ｆ２１、通信Ｉ／Ｆ２２、操作部材２３、レリーズ釦２４は、それぞれ制御回路２７と接続されている（なお、図１では、信号処理回路１５および表示制御回路１８と制御回路２７との間を結ぶ信号線の図示は簡単のため省略する）。
【００２２】
撮像光学系１１は、ズームレンズやフォーカシングレンズを含む複数のレンズ群で構成されており、撮像素子１３の撮像面上に被写体像を結像させる役目を果たす。なお、簡単のため、図１では撮像光学系１１を１枚のレンズとして図示する。
【００２３】
撮像光学系１１の各々のレンズ位置は、レンズ駆動部１２によって光軸方向に調整される。このレンズ駆動部１２はレンズ駆動機構を含み、制御回路２７からのレンズ駆動指令に応じてレンズ位置を調整する。例えば、レンズ駆動部１２がフォーカスレンズを光軸方向に進退駆動することで、撮像光学系１１のフォーカス調整が行われる。また、レンズ駆動部１２がズームレンズを光軸方向に進退駆動することで、撮像光学系１１のズーム調整が行われる。
【００２４】
撮像素子１３は、撮像光学系１１を通過した光束による被写体像を光電変換してアナログの画像信号を生成する。本実施形態での撮像素子１３は、静止画像の単写撮像、静止画像の連写撮像および動画像の撮像が可能である。この撮像素子１３の出力は信号処理回路１５に接続されている。なお、撮像素子１３は、ＣＣＤイメージセンサあるいはＣＭＯＳ型イメージセンサなどで構成される。
【００２５】
撮像素子駆動回路１４は、制御回路２７からの指令に応じて所定タイミングの駆動信号を生成し、この駆動信号を撮像素子１３に供給する。そして、撮像素子駆動回路１４は、上記の駆動信号によって、撮像素子１３の電荷蓄積（撮像）および蓄積電荷の読み出しを制御する。
【００２６】
信号処理回路１５は、撮像素子１３の出力に対して各種の信号処理を施すＡＳＩＣである。具体的には、信号処理回路１５は、相関二重サンプリング、ゲインの調整、直流再生、Ａ／Ｄ変換などを実行する。信号処理回路１５でのゲインの調整などのパラメータは、制御回路２７からの指令に応じて決定される。なお、信号処理回路１５はデータ処理回路１６に接続されており、上記信号処理後のデータはデータ処理回路１６に出力される。
【００２７】
データ処理回路１６は、信号処理回路１５から出力された画像のデータに対してデジタル信号処理を施す回路である。データ処理回路１６では、例えば、画素欠陥補正処理、色補間処理、階調変換処理、輪郭強調処理、ホワイトバランス調整などの画像処理が実行される。このデータ処理回路１６は、表示制御回路１８および圧縮／伸長回路２０にそれぞれ接続されている。そして、データ処理回路１６は、制御回路２７からの指令に応じて、画像処理後の記録画像のデータを圧縮／伸長回路２０に出力する。
【００２８】
また、データ処理回路１６は、制御回路２７からの指令に応じて、画像の解像度変換（画素数変換）処理を実行する。一例として、モニタ１９に再生画像を表示する場合、データ処理回路１６は、再生表示しようとする画像のデータに対して、モニタ１９の画素数に合わせるための解像度変換（画素数変換）処理を実行する（なお、特に断りのないかぎり、本明細書でモニタ１９に画像を表示するときには、データ処理回路１６で表示画像の画素数調整が行われているものとする）。そして、データ処理回路１６は、解像度変換後の再生画像のデータを表示制御回路１８に出力する。また、電子ズーム処理を行う場合、データ処理回路１６は、入力される画像のデータに対して解像度変換（画素数変換）処理を実行し、解像度変換後の画像のデータを圧縮／伸長回路２０および表示制御回路１８にそれぞれ出力する。
【００２９】
第１メモリ１７は、データ処理回路１６または圧縮／伸長回路２０による処理の前工程や後工程などで画像のデータを一時的に記憶するバッファメモリである。この第１メモリ１７は揮発性の記憶媒体であるＳＤＲＡＭにより構成される。
【００３０】
表示制御回路１８は、制御回路２７からの指令に応じて、データ処理回路１６から入力された画像のデータに所定の信号処理（例えば、モニタ１９の表示特性にあわせた階調特性の変換など）を施してモニタ１９へ出力する。表示制御回路１８は、さらに上記の画像のデータに撮影メニュー、カーソルなどのオーバーレイ画像データを重畳させる処理を行う。このような制御回路２７および表示制御回路１８の制御によって、オーバーレイ画像が重畳された被写体画像をモニタ１９に表示することができる。なお、本実施形態でのモニタ１９は、接眼部を有する電子ファインダや、カメラ筐体の背面などに設けられる液晶表示パネルのいずれで構成されていてもよい。
【００３１】
圧縮／伸長回路２０は、制御回路２７からの指令に応じて、データ処理回路１６から入力される画像のデータに所定の圧縮処理を施す。この圧縮／伸長回路２０は記録Ｉ／Ｆ２１に接続されており、圧縮後の画像のデータは記録Ｉ／Ｆ２１に出力される。また、圧縮／伸長回路２０は、圧縮後の画像のデータに対し、圧縮処理の逆処理である復号化処理を実行する。なお、本実施形態の圧縮／伸長回路２０は、可逆圧縮（いわゆるロスレス符号化）を行うことが可能な構成となっている。
【００３２】
記録Ｉ／Ｆ２１は、記憶媒体２９を接続するためのコネクタが形成されている。そして、記録Ｉ／Ｆ２１は、コネクタに接続された記憶媒体２９に対してデータの書き込み／読み込みを実行する。上記の記憶媒体２９は、小型ハードディスクや、半導体メモリを内蔵したメモリカードや、ＤＶＤなどの光ディスクなどで構成される。図１では記憶媒体２９の一例としてメモリカードを図示する。なお、記憶媒体２９は、電子カメラに内蔵されるものであってもよく、電子カメラに対して着脱可能に装着されるものであってもよい。また、画像のデータを読み書きする記憶媒体として、通信Ｉ／Ｆ２２を介して電気的に接続された外付けの記憶媒体を利用してもよい。
【００３３】
ここで、電子カメラの動作モードの１つである撮影モードにおいて撮像した画像のデータを記録する場合、制御回路２７は、記録画像に対応する再生画像をモニタ１９に表示させる。本明細書での記録画像とは、撮像により得られ、最終的に記憶媒体２９に記録されるべき（あるいは記憶媒体２９に記録された）静止画像データに対応する静止画像を意味するものとする。
【００３４】
なお、操作部材２３によるユーザーの操作によって、記録画像の非圧縮記録が制御回路２７に指示されている場合、圧縮／伸長回路２０は圧縮処理を行なわずに、記録画像のデータを記録Ｉ／Ｆ２１に出力する。上記の非圧縮記録の場合にも、制御回路２７は、記録画像に対応する再生画像をモニタ１９に表示させる。
【００３５】
また、電子カメラの動作モードの１つである再生モードにおいて、制御回路２７は、記憶媒体２９に記憶されている画像のデータによる再生画像をモニタ１９に表示させる。この再生モードでは、記録Ｉ／Ｆ２１が、制御回路２７からの指令に応じて再生対象の画像のデータを記憶媒体２９から読み出す。そして、圧縮／伸長回路２０は、再生対象の画像のデータに対して復号化処理を施した上で、復号化後の画像のデータをデータ処理回路１６に送る。その後、データ処理回路１６および表示制御回路１８が復号化後の画像のデータに対して上述の処理を実行することで、モニタ１９には再生画像が表示される。なお、記憶媒体２９から非圧縮の画像データが読み出された場合には、圧縮／伸長回路２０は復号化処理を行わずに画像のデータをデータ処理回路１６に送る。
【００３６】
通信Ｉ／Ｆ２２は、有線または無線による公知の通信規格の仕様に準拠して、外部装置３０（例えば、パーソナルコンピュータや外付けの記憶媒体）とのデータ送受信を制御する。電子カメラと外部装置３０との通信は、有線または無線の通信回線を介して行われる。
【００３７】
操作部材２３は、例えば、コマンドダイヤル、十字状のカーソルキー、ズーム操作釦、決定釦などで構成される。そして、操作部材２３は電子カメラの各種入力をユーザーから受け付ける。なお、操作部材２３には、後述する補間画像を生成するフレーム数を設定する設定部材を設けるようにしてもよい。
【００３８】
一例として、制御回路２７は、ズーム操作釦からの入力を受け付けるとズームレンズについてのレンズ駆動指令を出力し、レンズ駆動部１２にズームレンズを進退駆動させる。これにより、撮像素子１３の撮像面上に結像される被写体像が拡大もしくは縮小して撮像光学系１１による光学的なズーム調整が行われる。
【００３９】
また、制御回路２７は、さらにズーム操作釦からの入力を受け付けるとデータ処理回路１６に指令を出力し、画像のデータに対する解像度変換処理の変換比率をユーザーの操作に応じて変化させる。これにより、モニタ１９に表示される画像が拡大もしくは縮小して電子的なズーム調整が行われる（電子ズーム）。上記の解像度変換処理の変換比率は、電子ズーム倍率に対応する。データ処理回路１６が電子ズーム倍率を高める方向に変換比率を変える場合、モニタ１９には再生画像の一部が拡大されて表示される（拡大率が上がる反面、再生画像の表示範囲は狭くなる）。一方、データ処理回路１６が電子ズーム倍率を低くする方向に変換比率を変える場合、モニタ１９に表示される再生画像の拡大率は低くなるが、再生画像の表示範囲は広くなる。なお、上記の撮影モードでは、モニタ１９の表示画像に対応する撮像画像のデータを記憶媒体２９に記録することができる。
【００４０】
レリーズ釦２４は、撮影モードにおいて、半押し操作による撮影前のオートフォーカス（ＡＦ）動作開始の指示入力と、全押し操作による撮像動作開始の指示入力とをユーザーから受け付ける。
【００４１】
制御回路２７は、レリーズ釦２４の半押し操作に応じて、公知のコントラスト検出方式のＡＦ動作を実行する。このＡＦでは、撮像素子１３から読み出される画像信号のなかで、撮影画面内に予め設定されているフォーカス検出領域に対応する信号が用いられる。具体的には、信号処理回路１５によって信号処理された画像のデータのうち、フォーカス検出領域に対応するデータについての高周波数成分の積算値（いわゆる焦点評価値）を最大にするように、制御回路２７はフォーカスレンズのレンズ駆動指令をレンズ駆動部１２に送る。焦点評価値を最大にするフォーカスレンズの位置は、撮像素子１３によって撮像される被写体像のエッジのぼけをなくし、画像のコントラストを最大にする（尖鋭度を高める）合焦位置である。
【００４２】
第２メモリ２６は、フラッシュメモリ等の不揮発性の記憶媒体である。この第２メモリ２６には、各種の設定データなどが記憶されている。また、第２メモリ２６には、制御回路２７により実行されるプログラムが記憶されている。
【００４３】
制御回路２７は、電子カメラの動作を統括的に制御するプロセッサである。例えば、制御回路２７は、撮像素子１３から出力される信号から被写界の明るさを求める。そして、制御回路２７は、上記の明るさの情報に基づいて公知のＡＥ演算を実行し、撮影モードでの撮像条件（撮像素子１３の電荷蓄積時間、絞り（不図示）の絞り値、画像信号の増幅度）を決定する。
【００４４】
また、制御回路２７は、第２メモリ２６に記憶されたプログラムを実行することで、ＲＡＷデータのデジタル現像処理や、現像された画像のレタッチ処理や、補間画像の生成処理や、時間方向の画像加算による合成処理などを実行する（これらの処理については後述する）。
【００４５】
（第１実施形態の撮影モードの説明）
以下、第１実施形態の電子カメラの撮影モードの例を説明する。本実施形態の電子カメラの撮影モードは、静止画撮影を行う静止画モードと、動画撮影を行う動画モードとに大別される。そして、制御回路２７は、操作部材２３からの入力に応じて、静止画モードおよび動画モードの切り替えを行う。
【００４６】
静止画モードでの制御回路２７は、レリーズ釦２４の全押し操作に応じて、撮像素子１３を駆動させて記録画像の撮像を行う。撮像素子１３から出力された画像信号は、信号処理回路１５およびデータ処理回路１６で所定の処理が施される。なお、記録画像のデータは、最終的に記憶媒体２９に記録される。
【００４７】
また、第１実施形態での電子カメラは、静止画撮影に関する設定項目として、「ブラケット撮影」、「バルブ撮影」、「パノラマ撮影」、「セルフタイマ撮影」を有している。
【００４８】
上記の設定項目のうちの「ブラケット撮影」が選択されている状態では、制御回路２７は、撮影条件（露光、ホワイトバランス、ピント位置など）を変えながら１回の撮影指示で複数フレーム分の記録画像を撮像する。また、「バルブ撮影」が選択されている状態では、制御回路２７は、レリーズ釦２４が押し込まれている間は撮像素子１３の電荷蓄積を継続し、長秒時露光の記録画像を生成する。
【００４９】
また、「パノラマ撮影」が選択されている状態では、制御回路２７は、パノラマ画像（被写体を分割して撮像した画像をつなぎ合わせて得た連続画像）の撮影に適した処理を実行する。
【００５０】
具体的には、パノラマ撮影のときの制御回路２７は、撮影待機時に撮像素子１３を所定間隔毎に駆動させてスルー画像の撮像動作を行うとともに、モニタ１９にスルー画像を動画表示させる。そして、パノラマ撮影時に記録画像が撮像されると、制御回路２７は、パノラマ画像のつなぎ目の部分に相当するガイド画像を直前のフレームから生成するとともに、モニタ１９のスルー画像にガイド画像をオーバーレイ表示させる。これにより、ユーザーはスルー画像とガイド画像とで被写体が重なるようにフレーミングを行うことで、パノラマ撮影を容易に行うことが可能となる。
【００５１】
また、「セルフタイマ撮影」のときには、制御回路２７は、レリーズ釦２４の全押しから一定時間経過後に記録画像の撮像を行う。このとき、制御回路２７は、レリーズ釦２４の全押しをトリガとして記録画像の撮影直前まで動画撮影を実行し、その後に本画像としての記録画像を撮像することもできる。一般に、セルフタイマ撮影は記念撮影などで用いられるため、本画像の撮影前の状況も含めて映像記録を残すことでユーザーの利便性が向上する。
【００５２】
次に、動画モードのときの電子カメラの動作を説明する。動画モードでは、動画撮影開始指示から動画撮影終了指示の期間の間、電子カメラが動画像の撮像を実行する。ここで、動画モードでの制御回路２７は、動画像を構成する各フレームが静止画としての鑑賞に耐えうるように撮像条件を決定する。例えば、制御回路２７は、シャッタ速度を速くしてブレのない画像を得るように制御する。
【００５３】
また、動画モードでの制御回路２７は、動画撮影中にレリーズ釦２４の全押し操作を受け付けたときには、静止画像（記録画像）の取得動作を実行する。例えば、制御回路２７は、レリーズ釦２４の押圧タイミングに対応する動画像のフレームにマーキングを行い、マーキングされた動画像のフレームを抽出して静止画像とする。あるいは、制御回路２７は、動画撮影を一時中断して静止画像を撮像するようにしてもよい。
【００５４】
なお、本実施形態において、静止画モードでの設定項目が「ブラケット撮影」、「バルブ撮影」、「パノラマ撮影」のいずれかである場合、制御回路２７は動画モードの選択操作を不能化し、動画撮影を禁止する。「ブラケット撮影」、「バルブ撮影」、「パノラマ撮影」の場合には動画像の撮影ができず、撮影モードの設定が競合するからである。
【００５５】
さらに、第１実施形態での電子カメラは、動画撮影に関する設定項目として「ＲＡＷデータ記録」と、「画像加算処理」とを有している。
【００５６】
ここで、「ＲＡＷデータ記録」の項目では、各フレームのＲＡＷデータを記録するか否かをユーザーが制御回路２７に対して設定できる。本実施形態でのＲＡＷデータとは、撮像素子１３から出力されたデジタルの画像データに、画素欠陥補正処理および色補間処理を施した未加工データを意味するものとする。なお、「ＲＡＷデータ記録」をオフに設定した場合には、制御回路２７は、ＲＡＷデータにさらに階調変換処理、ホワイトバランス補正、色補正、輪郭強調、ノイズ除去処理などを施した通常画像データを用いて動画ファイルを生成する。
【００５７】
また、「画像加算処理」の項目では、動画像の各フレームで画像加算を行なって、像流れのある合成画像を生成するか否かをユーザーが制御回路２７に対して設定できる。
【００５８】
以下、図２の流れ図を参照しつつ、本実施形態の動画モードにおける電子カメラの動作例を説明する。図２の例では、「ＲＡＷデータ記録」および「画像加算処理」の項目がいずれもオンに設定された状態を前提として説明を行う。また、簡単のため、図２の例では、動画撮影中に静止画撮影を行わないものとして説明を行う。
【００５９】
ステップＳ１０１：制御回路２７は、操作部材２３から動画撮影開始指示を受け付けると、撮像素子１３を駆動させて動画撮影を開始する。例えば、動画撮影時の撮像素子１３は、１５ｆｐｓのフレームレートで画像信号を出力する。そして、撮像素子１３から出力された各フレームの画像信号は、信号処理回路１５およびデータ処理回路１６で所定の処理が施される。このとき、制御回路２７は、各フレームに対応するＲＡＷデータと、ＲＡＷデータに階調変換処理などを施して得た通常画像データ（デジタル現像画像のデータ）とを、第１メモリ１７に一時的に記憶させる。上記の動画像のデータの解像度（画素数）は、再生装置の解像度の規格に合わせて設定される。
【００６０】
なお、動画モードでの動画撮影時には、データ処理回路１６は、通常画像のデータに解像度変換処理を施し、モニタ１９の画素数に合わせたスルー画像のデータを生成する。そして、データ処理回路１６は、各フレームのスルー画像のデータを表示制御回路１８を介して順次モニタ１９に供給する。そのため、動画モードでの動作時には、表示制御回路１８の制御によって、モニタ１９には各々のフレームに対応するスルー画像が順次表示される。これにより、ユーザーは、モニタ１９のスルー画像を目視することで、被写界の状態を確認しつつフレーミングを行うことができる。
【００６１】
ステップＳ１０２：制御回路２７は、時間軸方向に隣接する２つの通常画像データのフレーム（Ｓ１０１）を対象として、フレーム間での被写体の動きベクトルを求める。例えば、制御回路２７は、１６×１６画素のマクロブロック単位でフレーム間の被写体の動きを抽出し、この結果からフレーム間での被写体の動きベクトルを求める。なお、Ｓ１０２での制御回路２７は、動画撮影のときのすべてのフレーム間で上記の動きベクトルをそれぞれ演算する。
【００６２】
ステップＳ１０３：制御回路２７は、各々の通常画像データのフレーム間の動きベクトル（Ｓ１０２で求めたもの）のうち、動きベクトルの大きさの最大値Ｚをそれぞれ求める。そして、制御回路２７は、動きベクトルの大きさの最大値Ｚを第１メモリ１７に記録する。
【００６３】
ステップＳ１０４：制御回路２７は、動きベクトルの大きさの最大値Ｚ（Ｓ１０３で求めたもの）がすべてのフレーム間でいずれも「０」値であるか否かを判定する。上記要件を満たす場合（ＹＥＳ側）にはＳ１１４に移行する。一方、上記要件を満たさない場合（ＮＯ側）にはＳ１０５に移行する。なお、Ｓ１０４でＹＥＳ側となるときは、例えば、明るさや色に変化はあるが、動きのない被写体を撮影した場合などが該当する。
【００６４】
ステップＳ１０５：制御回路２７は、通常画像データのフレームから特定画像を１つ選択する。この特定画像は、上述の合成画像を生成するときに基準となる画像である。本実施形態でのＳ１０５では、制御回路２７は通常画像データのフレームから１フレームずつ特定画像を順次選択するものとする。この選択は、時系列に並ぶ複数のフレームから途中を飛ばすことなく全て選択されるものとする。
【００６５】
ステップＳ１０６：制御回路２７は、Ｓ１０５で選択された現在の特定画像が最初のフレームであるか否かを判定する。最初のフレームである場合（ＹＥＳ側）にはＳ１１２に移行する。一方、最初の特定画像ではない場合（ＮＯ側）にはＳ１０７に移行する。
【００６６】
ステップＳ１０７：制御回路２７は、Ｓ１０３で求めた動きベクトルの大きさの最大値Ｚから、現在の特定画像と次の特定画像との間に対応する値を読み出す。そして、制御回路２７は、読み出した動きベクトルの大きさの最大値Ｚが閾値Ｔｈ未満（Ｚ＜Ｔｈ）か否かを判定する。上記要件を満たす場合（ＹＥＳ側）にはＳ１０８に移行する。一方、上記要件を満たさない場合（ＮＯ側）にはＳ１０９に移行する。
【００６７】
ステップＳ１０８：制御回路２７は、合成画像の生成時に加算するフレーム数を「３」に設定するとともに、特定画像と被加算画像との加算比率をそれぞれ決定する。
【００６８】
具体的には、制御回路２７は、通常画像データのうちで、特定画像に対して時間軸方向で前（過去）と後（未来）との１フレーム（すなわち、特定画像を基準として過去の１フレームと未来の１フレーム）をそれぞれ被加算画像として選択する。そして、制御回路２７は、特定画像の加算比率を０．５に設定する。また、制御回路２７は、各々の被加算画像の加算比率をそれぞれ０．２５に設定する。すなわち、時間軸方向に表記すると、Ｓ１０８での画像の加算比率は「０．２５：０．５：０．２５」となる（図３（ａ）参照）。その後、制御回路２７はＳ１１０に移行する。
【００６９】
ステップＳ１０９：制御回路２７は、合成画像の生成時に加算するフレーム数を「５」に設定するとともに、特定画像と被加算画像との加算比率をそれぞれ決定する。
【００７０】
具体的には、制御回路２７は、通常画像データのうちで、特定画像に対して時間軸方向で前と後との２フレーム（すなわち、特定画像を基準として過去の２フレームと未来の２フレーム）をそれぞれ被加算画像として選択する。そして、制御回路２７は、特定画像の加算比率を０．４に設定する。また、制御回路２７は、各々の被加算画像のうち、特定画像を基準として前後１フレーム目の加算比率をそれぞれ０．２に設定する。さらに、制御回路２７は、各々の被加算画像のうち、特定画像を基準として前後２フレーム目の加算比率をそれぞれ０．１に設定する。すなわち、時間軸方向に表記すると、Ｓ１０９での画像の加算比率は「０．１：０．２：０．４：０．２：０．１」となる（図３（ｂ）参照）。
【００７１】
ステップＳ１１０：制御回路２７は、Ｓ１０８またはＳ１０９で求めた加算フレーム数および加算比率を示す付帯情報を、ＲＡＷデータに対応付けて第１メモリ１７に一時的に記憶する。
【００７２】
ステップＳ１１１：制御回路２７は、Ｓ１０８またはＳ１０９で求めた加算フレーム数および加算比率に基づいて、特定画像に被加算画像を加算して合成画像を生成する。そして、制御回路２７は、生成した合成画像を第１メモリ１７に一時的に記憶させる。
【００７３】
ここで、図４（ａ）に特定画像の一例を示す。また、図４（ｂ）では、図４（ａ）の特定画像を表示の核とした合成画像を模式的に示す。この図４（ｂ）の例では、加算フレーム数が「５」であって、時間軸方向で表記したときに画像の加算比率が「０．１：０．２：０．４：０．２：０．１」となる場合の例を示している。合成画像は、表示の核となる特定画像に対して時間軸方向で過去の画像と未来の画像とが加算されるため、画像上に像流れが発生する。そのため、複数の合成画像を動画として鑑賞した場合には、動きの流れが滑らかで好ましい画像となる。なお、合成画像を生成するときの加算フレーム数および加算比率は、連写撮影した記録画像間での動きベクトルの大きさの最大値（Ｚ）に応じて制御回路２７が変化させる。そのため、本実施形態では、撮影したシーンの被写体の動きに応じて、合成画像の像流れを好ましい量に調整できる。
【００７４】
ステップＳ１１２：制御回路２７は、一連の通常画像データのフレームのうち、最後から１フレーム前のフレームまで判定が終了したか否かを判定する。上記要件を満たす場合（ＹＥＳ側）にはＳ１１３に移行する。一方、上記要件を満たさない場合（ＮＯ側）には、制御回路２７はＳ１０５に戻って上記動作を繰り返す。
【００７５】
ステップＳ１１３：圧縮／伸長回路２０は、制御回路２７の指令に応じて、各フレームのＲＡＷデータにロスレス圧縮処理を施して第１画像ファイルを生成する。なお、Ｓ１１３での第１画像ファイルのＲＡＷデータには、特定画像ごとの加算フレーム数および加算比率を示す付帯情報（Ｓ１１０）が各フレームに対応付けされている。これにより、第１画像ファイルのＲＡＷデータを後処理工程でデジタル現像するときには、制御回路２７は、付帯情報の加算フレーム数および加算比率を参照することで合成画像を容易に生成することが可能となる。
【００７６】
また、圧縮／伸長回路２０は、制御回路２７の指令に応じて、一連の合成画像（Ｓ１１１）のデータにＭＰＥＧ形式の圧縮を行って第２画像ファイルを生成する。これにより、第２画像ファイルの再生によって、ＲＡＷデータの現像処理を行うことなく迅速に動画再生を行うことが可能となる。また、第２画像ファイルの各フレームは合成画像によって構成されるため、動きの流れが滑らかで好ましい動画像をモニタ１９に再生できる。
【００７７】
そして、第１画像ファイルおよび第２画像ファイルは最終的に記憶媒体２９に記録される。その後、制御回路２７は動画モードの処理を終了する。
【００７８】
ステップＳ１１４：圧縮／伸長回路２０は、制御回路２７の指令に応じて、各フレームのＲＡＷデータにロスレス圧縮処理を施して第１画像ファイルを生成する。なお、Ｓ１１４の場合には合成画像が生成されないため、第１画像ファイルに上記の付帯情報が含まれることはない。また、圧縮／伸長回路２０は、制御回路２７の指令に応じて、一連の通常画像（Ｓ１０１）のデータにＭＰＥＧ形式の圧縮を行って第２画像ファイルを生成する。このＳ１１４の場合にも、第２画像ファイルの再生によって、ＲＡＷデータの現像処理を行うことなく迅速に動画再生を行うことが可能となる。以上で、図２の流れ図の説明を終了する。
【００７９】
なお、「ＲＡＷデータ記録」の項目がオンの状態に設定される一方で、「画像加算処理」の項目がオフの状態に設定されている場合、制御回路２７は、Ｓ１１４と同様に加算比率などを求めることなく、ＲＡＷデータを記録した第１画像ファイルと、通常画像に基づく第２画像ファイルとをそれぞれ生成する。
【００８０】
（第１実施形態でのレタッチ処理の説明）
次に、図５の流れ図を参照しつつ、上記の動画モードで得たＲＡＷデータ（Ｓ１１３で生成された第１画像ファイル）を電子カメラでレタッチする場合について説明する。
【００８１】
ステップＳ２０１：制御回路２７は、第１画像ファイルおよび第２画像ファイルを記憶媒体２９から読み出す。そして、圧縮／伸長回路２０は、制御回路２７の指令に応じて、第１画像ファイル内のＲＡＷデータの復号化処理を実行する。なお、復号化された各々の画像のデータは第１メモリ１７に一時的に記憶される。
【００８２】
ステップＳ２０２：制御回路２７は、第１画像ファイルまたは第２画像ファイルに含まれる画像をモニタ１９に表示し、レタッチ処理の対象となる画像の指定をユーザーから受け付ける。ここで、レタッチ処理とは、ＲＡＷデータの画像を撮影後の後工程においてユーザーがマニュアルで加工する処理である。一例として、レタッチ処理の内容には、画像全体の明るさの補正（ブライトネス処理）、画像のノイズ除去、画像の彩度調整および色補正、コントラスト補正、トーンカーブ補正、輪郭強調処理、アンシャープマスク処理、シャドウポイント処理（画像データ内でもっとも暗くしたいＲＧＢ値の範囲を指定する処理）、ハイライトポイント処理（画像データ内でもっとも明るくしたいＲＧＢ値の範囲を指定する処理）などが含まれる。
【００８３】
ステップＳ２０３：制御回路２７は、レタッチ処理の対象となるＲＡＷデータに対して、ユーザーの指定した内容のレタッチ処理を施す。そして、制御回路２７は、レタッチ処理後のデータに、階調変換処理を含む各種の画像処理を施して補正画像のデータを生成する。なお、制御回路２７は、レタッチ後の補正画像をＪＰＥＧ形式で圧縮し、独立した静止画像のデータとして記憶媒体２９に記録するようにしてもよい。
【００８４】
ステップＳ２０４：制御回路２７は、第１画像ファイルのＲＡＷデータから合成画像のデータを生成する。
【００８５】
具体的には、まず、制御回路２７は、第１画像ファイルのＲＡＷデータに階調変換処理を含む各種の画像処理を施して、上記の補正画像と同解像度のデジタル現像画像をそれぞれ生成する。次に、制御回路２７は、補正画像（Ｓ２０３）およびデジタル現像画像を特定画像として、時間軸方向に前後する被加算画像を加算して合成画像を生成する。このとき、制御回路２７は、第１画像ファイルの付帯情報（Ｓ１１０）を用いて、補正画像を特定画像としたときの加算フレーム数および加算比率を決定する。また、Ｓ２０４での制御回路２７は、ユーザーの入力に基づいて加算フレーム数および加算比率を変更するようにしてもよい。なお、制御回路２７は、生成した合成画像を第１メモリ１７に一時的に記憶させる。
【００８６】
ステップＳ２０５：圧縮／伸長回路２０は、制御回路２７の指令に応じて、Ｓ２０４で生成された一連の合成画像データにＭＰＥＧ形式の圧縮を行って補正動画像ファイルを生成する。この補正動画像ファイルでは、補正画像を用いて合成画像が生成されるため、Ｓ２０３でのレタッチ処理の内容が動画再生において反映されることとなる。
【００８７】
ステップＳ２０６：制御回路２７は、記憶媒体２９に補正動画像ファイル（Ｓ２０５）を記録するとともに、記憶媒体２９に記憶されている第２画像ファイル（Ｓ１１３で生成されたもの）を消去する。これにより、第２画像ファイルがレタッチ後の状態を反映した補正動画像ファイルと置き換わるため、記憶媒体２９の記録容量を有効に活用することができる。以上で、図５の流れ図の説明を終了する。
【００８８】
＜第２実施形態の説明＞
次に、図６を参照しつつ、第２実施形態における電子カメラでの動画モードの動作例を説明する。ここで、第２実施形態での電子カメラの構成は、図１に示す第１実施形態の電子カメラと共通するので重複説明は省略する。
【００８９】
図６に示す動作例では、「ＲＡＷデータ記録」および「画像加算処理」の項目がいずれもオンに設定された状態を前提として説明を行う。また、第２画像ファイルのヘッダには、動画の再生回数を示す回数データや、画像の消去禁止を示すプロテクトデータが記憶されているものとする。
【００９０】
ステップＳ３０１：制御回路２７は、操作部材２３から動画撮影開始指示を受け付けると、撮像素子１３を駆動させて動画撮影を開始する。そして、制御回路２７は、上記の第１実施形態の動画モードと同様の動作（Ｓ１０１〜Ｓ１１４）で第１画像ファイルおよび第２画像ファイルを生成する。そして、第１画像ファイルのデータおよび第２画像ファイルのデータは、制御回路２７によって記憶媒体２９に順次記憶されてゆく。
【００９１】
したがって、動画像で動きベクトルの大きさの最大値Ｚが「０」値でない場合、第１画像ファイルには、特定画像ごとの加算フレーム数および加算比率を示す付帯情報がＲＡＷデータとともに記録される。一方、第２画像ファイルには、複数の合成画像からなる動画像が記録される。なお、Ｓ３０１での制御回路２７は、第２画像ファイルの生成状態を示すフラグをオンの状態に設定する。
【００９２】
ステップＳ３０２：制御回路２７は、撮影時において記憶媒体２９の残容量が閾値以下となったか否かを判定する。上記要件を満たす場合（ＹＥＳ側）にはＳ３０３に移行する。なお、この場合（Ｓ３０２のＹＥＳ側）には、制御回路２７は、記憶媒体２９の残容量が少なくなったことを示す警告表示や、撮影可能時間を示す表示をモニタ１９などに出力してもよい。なお、上記の記憶媒体２９の残容量および撮影可能時間は、後述の第２画像ファイルの記録停止や第２画像ファイルの削除によって増加することもある。一方、上記要件を満たさない場合（ＮＯ側）にはＳ３０８に移行する。
【００９３】
ステップＳ３０３：制御回路２７は、第２画像ファイルの生成状態を示すフラグがオンの状態か（第２画像ファイルが生成中か）否かを判定する。上記要件を満たす場合（ＹＥＳ側）にはＳ３０４に移行する。一方、上記要件を満たさない場合（ＮＯ側）にはＳ３０５に移行する。
【００９４】
ステップＳ３０４：制御回路２７は、第２画像ファイルの記録を停止するとともに、第２画像ファイルの生成状態を示すフラグをオフの状態に変更する。そして、記憶媒体２９に記録された第２画像ファイルのデータは、その後に生成される第１画像ファイルのデータで上書きされることとなる。また、Ｓ３０４での制御回路２７は、第２画像ファイルの記録停止を示す表示をモニタ１９などに出力してもよい。なお、制御回路２７はその後にＳ３０８に移行する。
【００９５】
ステップＳ３０５：制御回路２７は、以前の撮影で生成された他の第２画像ファイルが記憶媒体２９に存在するか否かを判定する。上記要件を満たす場合（ＹＥＳ側）にはＳ３０６に移行する。一方、上記要件を満たさない場合（ＮＯ側）にはＳ３０７に移行する。
【００９６】
ステップＳ３０６：制御回路２７は、上記の他の第２画像ファイルを優先順位の低い順に消去する。例えば、制御回路２７は、他の第２画像ファイルのうちでヘッダにプロテクトデータがないものを消去候補の画像ファイルとする。次に制御回路２７は、消去候補の画像ファイルのヘッダにある回数データを参照し、再生回数が最も少ない画像ファイルを消去対象として指定する。なお、再生回数が同じ画像ファイルが複数ある場合、制御回路２７は、撮影日時が最も古い画像ファイルを消去対象とする。
【００９７】
そして、制御回路２７は、消去対象の画像ファイル（他の第２画像ファイル）を上書き可能な状態に変更する。これにより、消去対象の画像ファイルはその後に生成される第１画像ファイルのデータで上書きされることとなる。なお、制御回路２７は、上記の工程を繰り返して、記憶媒体２９から消去候補の画像ファイルを順次消去していく。なお、制御回路２７はその後にＳ３０８に移行する。
【００９８】
ステップＳ３０７：制御回路２７は、記憶媒体２９の容量不足で動画撮影を継続できない状態か否かを判定する。上記要件を満たす場合（ＹＥＳ側）には、制御回路２７は、記憶媒体２９の容量がない旨の表示をモニタ１９などで行うとともに、動画モードでの撮影動作を終了する。一方、上記要件を満たさない場合（ＮＯ側）にはＳ３０２に戻って制御回路２７は上記動作を繰り返す。
【００９９】
ステップＳ３０８：制御回路２７は、操作部材２３から動画撮影の終了指示を受け付けたか否かを判定する。上記要件を満たす場合（ＹＥＳ側）には、制御回路２７は動画モードでの撮影動作を終了する。一方、上記要件を満たさない場合（ＮＯ側）にはＳ３０２に戻って上記動作を繰り返す。以上で、図６の流れ図の説明を終了する。
【０１００】
上記の第２実施形態では、記憶媒体２９の残容量が少なくなった場合には、動画モードで生成される第２画像ファイルの記録を停止する（Ｓ３０４）。そのため、第１画像ファイルのＲＡＷデータの記録をより長時間行うことが可能となる。なお、この場合においても、第１画像ファイルのＲＡＷデータから撮影終了後に合成画像を生成することが可能なため、大きな問題が生じることはないと考えられる。
【０１０１】
また、上記の第２実施形態では、記憶媒体２９の残容量が少なくなった場合には、以前の撮影で生成された他の第２画像ファイルを優先順位の低い順に消去する（Ｓ３０６）。そのため、第１画像ファイルのＲＡＷデータの記録をより長時間行うことが可能となる。なお、この場合においても、他の第２画像ファイルに対応する第１画像ファイルから撮影終了後に第２画像ファイルを復元することが可能なため、大きな問題が生じることはないと考えられる。
【０１０２】
＜実施形態の補足事項＞
（１）上記の第１実施形態および第２実施形態では、動画撮影時のＲＡＷデータの記録の例を説明した。しかし、第１実施形態および第２実施形態は、例えば、静止画の連写撮影で得られたＲＡＷデータの場合についても同様に適用することが可能である。
【０１０３】
（２）また、上記の第１実施形態で示す合成画像を生成する場合、動画像のフレーム間を補間する補間画像を生成し、この補間画像を被加算画像や特定画像として用いるようにしてもよい。
【０１０４】
（３）第２実施形態では、動画モードでの撮影中のときに第１画像ファイルおよび第２画像ファイルを記録する例を説明した。しかし、第２実施形態での電子カメラの動作は、例えば、撮影後にレタッチ処理を行うときに記憶媒体２９の残容量が少なくなった場合にも応用することが可能である。
【０１０５】
（４）上記実施形態では電子カメラの制御回路２７が各種の処理を行う例を説明したが、例えば、電子カメラと接続された外部装置３０（パーソナルコンピュータなど）が、上記実施形態の制御回路２７の処理を実行してもよい。また、上記実施形態で電子カメラの制御回路２７が実行する処理の一部を外部装置３０に負担させて、電子カメラと外部装置３０とを協働させて上記の第１実施形態または第２実施形態で説明したアルゴリズムを実現してもよい。
【０１０６】
（５）上記の第１実施形態のレタッチ処理では、補正動画像ファイルが生成されたときに、記憶媒体２９に記憶されている第２画像ファイルを消去する例を説明した。しかし、上記の第１実施形態のレタッチ処理において、制御回路２７は、補正動画像ファイルが記憶媒体２９に記憶される前に、記憶媒体２９の第２画像ファイルを予め削除するようにしてもよい。
【０１０７】
なお、本発明は、その精神またはその主要な特徴から逸脱することなく他の様々な形で実施することができる。そのため、上述した実施形態はあらゆる点で単なる例示に過ぎず、限定的に解釈してはならない。本発明は、特許請求の範囲によって示されるものであって、本発明は明細書本文にはなんら拘束されない。さらに、特許請求の範囲の均等範囲に属する変形や変更は、全て本発明の範囲内である。
【図面の簡単な説明】
【０１０８】
【図１】第１実施形態の電子カメラの構成を示すブロック図
【図２】第１実施形態での動画モードにおける電子カメラの動作例を示す流れ図
【図３】合成画像を構成する画像と加算比率とを示す図
【図４】（ａ）特定画像の一例を示す図、（ｂ）図４（ａ）を表示の核とした合成画像を模式的に示す図
【図５】第１実施形態でのレタッチ処理の動作例を説明する流れ図
【図６】第２実施形態における電子カメラでの動画モードの動作例を示す流れ図
【符号の説明】
【０１０９】
１３…撮像素子、１９…モニタ、２１…記録Ｉ／Ｆ、２２…通信Ｉ／Ｆ、２３…操作部材、２４…レリーズ釦、２７…制御回路、２９…記憶媒体、３０…外部装置
【図１】
2010021710.tif 000003
【図２】
2010021710.tif 000004
【図３】
2010021710.tif 000005
【図４】
2010021710.tif 000006
【図５】
2010021710.tif 000007
【図６】
2010021710.tif 000008